(57)【要約】【課題】屋根や外壁に敷設された波形スレートを、簡単且つ確実に改修する。【解決手段】通孔３６ａが開設された平坦面３６と、この平坦面３６から斜め下方へ離間的に延在するスカート部４０,４０とからなるサドル３８を既設の波形スレート１８上に位置させる。また、波形スレート１８の山形部１８ａから突出するフックボルト１０の雄ネジ部１０ａを通孔３６ａに挿通させて、スカート部４０,４０を山形部１８ａに跨らせる。そして、前記通孔３６ａから突出する雄ネジ部１０ａにタッピングナット４２を螺挿して、サドル３８を山形部１８ａ上に固定する。このサドル３８上にチャンネル材４４を配置して、タッピングネジ５０によりこれらを固定する。更に、金属屋根材３０をチャンネル材４４上に配置し、タッピングネジ５６を金属屋根材３０を介してチャンネル材４４にねじ込ませる。【選択図】図１
2006194050.tif 000002
【特許請求の範囲】
【請求項１】
フックボルト(10)のフック部(10b)を建物の構造材(32)に係止させると共に、該フックボルト(10)の雄ネジ部(10a)を前記構造材(32)に敷設した波形スレート(18)の山形部(18a)に貫挿させ、外方へ延出した前記雄ネジ部(10a)にナット(34)を螺挿することで、前記波形スレート(18)を構造材(32)に固定した建物に関して、前記波形スレート(18)の外側に所要の外装材(30)を新たに設けるための改修工法であって、
略中央の部位に通孔(36a)を設けた平坦面(36)と、この平坦面(36)を挟む両側から斜め下方へ離間的に延在する一対のスカート部(40,40)とからなるサドル(38)を前記波形スレート(18)の上に位置させ、該通孔(36a)に前記フックボルト(10)の雄ネジ部(10a)を挿通させることで、前記一対のスカート部(40,40)を該波形スレート(18)の山形部(18a)に跨らせた状態で着座させ、
前記雄ネジ部(10a)にタッピングナット(42)を螺挿しつつ該雄ネジ部(10a)への再ネジ切りを補助的に施すことで、前記タッピングナット(42)によりサドル(38)を山形部(18a)に固定し、
所要長のチャンネル材(44)を波形スレート(18)の波打方向と交差する方向へ延在するよう前記サドル(38)上に位置させ、タッピングネジ(50)を前記チャンネル材(44)を介してサドル(38)にねじ込むことで、これらチャンネル材(44)とサドル(38)とを固定し、
更に所要の外装材(30)を前記チャンネル材(44)に位置させ、タッピングネジ(56)を前記外装材(30)を介してチャンネル材(44)にねじ込むことで、これら外装材(30)とチャンネル材(44)とを固定するようにした
ことを特徴とする波形スレート改修工法。
【請求項２】
前記サドル(38)のスカート部(40,40)を、前記平坦面(36)を挟む両側から斜め下方へ延在する第１傾斜面(41)と、この第１傾斜面(41)から更に屈曲して斜め下方へ延在する第２傾斜面(43)とから構成し、前記サドル(38)を波形スレート(18)の山形部(18a)に着座させた際に、第１傾斜面(41)と第２傾斜面(43)とを境界付ける線状屈曲部(40a)が前記山形部(18a)の中腹に当接すると共に、第２傾斜面(43)の下端縁(40b)が山形部(18a)の裾部に当接して、波形スレート(18)に加わる荷重を分散させるようになっている請求項１記載の波形スレート改修工法。
【請求項３】
前記タッピングナット(42)の高さは、前記チャンネル材(44)の内側の高さより僅かに小さくなるよう寸法設定される請求項１記載の波形スレート改修工法。
【請求項４】
前記タッピングネジ(50,56)は、電動ドライバーの使用により、各部材へ直接ねじ込まれる請求項１記載の波形スレート改修工法。
【請求項５】
前記波形スレート(18)が屋根材である場合は、前記外装材(30)として金属屋根材が使用される請求項１記載の波形スレート改修工法。
【請求項６】
前記波形スレート(18)が外壁材である場合は、前記外装材(30)として金属外壁材が使用される請求項１記載の波形スレート改修工法。
【請求項７】
前記外装材(30)とチャンネル材(44)との間に断熱材(58)を介在させた請求項１記載の波形スレート改修工法。
【発明の詳細な説明】
【技術分野】
【０００１】
この発明は、波形スレート改修工法に関し、更に詳細には、屋根材や外壁材として設けられた波形スレートに、新たな別の外装材を敷設して２重構造とする波形スレート改修工法に関するものである。
【背景技術】
【０００２】
工場や倉庫等の建物の屋根や外壁に、外装材としての波形スレートが広く使用されている。例えば屋根材として使用される波形スレートは、屋根を構成する母屋桁の上面に敷設部材を介して載置されるものであって、該母屋桁に所定間隔毎に掛止したフックボルトが該スレートの各頂部を貫通して上方に延在する雄ネジ部分にナットを螺合することにより支持固定されている。
【０００３】
この波形スレートを葺いた屋根は、破損したり経年的に劣化することで適宜補修がなされるが、その補修する際の従来の手段としては、交換される波形スレートおよびこれと重合して隣接する他の波形スレートを支持しているフックボルトを母屋桁から全て外し、この交換するべき波形スレートを撤去した後に新しい波形スレートを配設する。そして、新たな波形スレートの適宜個所にフックボルトを挿通させるための通孔を開設し、該通孔に挿通したフックボルトの下部を母屋桁の上部に掛止させた後に、前記ナットを螺合することで当該新たな波形スレートが支持固定される。しかしこの手段においては、破損等した旧スレートの一部やこれを撤去する際の塵埃が、前記各母屋桁の間から建物内部に落下して床面等を汚損してしまう難点がある。また前述したように、新たなスレートには、フックボルトを挿通させるための通孔を新たに開設する手間が生じるため、多大な人力と施工費用を要すると云った点も指摘される。
【０００４】
そこでこの問題を解決する手段として、例えば特許文献１に示す「二重葺き屋根構造」が存在する。すなわち特許文献１の屋根構造は、図４に示すように、母屋桁３２に係止したフックボルト１０の挿通を許容する通孔１２を設けた平坦面１４と、該平坦面１４の両側から夫々延在するスカート部１６とからなるサドル１９が設けられる。そして、このサドル１９の通孔１２に前記フックボルト１０の上部に設けられた雄ネジ部１０ａを挿通させた後に、該サドル１９を波形スレート１８の山形部１８ａに跨らせる。また、内部に雌ネジ部２０ａが螺設されると共に、外部に雄ネジ部２０ｂが形成された複合ボルト２０を、前記山形部１８ａから上方へ突出するフックボルト１０の雄ネジ部１０ａに螺合させ、前記サドル１９の各スカート部１６における下端縁１６ａを波形スレート１８に接触させた状態でサドル１９を固定する。そして、複合ボルト２０の上方から新たな金属屋根材２２を配設し、該複合ボルト２０が金属屋根材２２に設けた通孔２２ａから突出する部位にパッキン２４および座金２６を介してナット２８を螺挿することで、新たな金属屋根材２２が波形スレート１８の上面に対して脱落不能に固定される。
【０００５】
この特許文献１の二重葺き構造によれば、既設のフックボルト１０を使用するので波形スレート１８に孔開け加工等を施す必要がなく、挿通孔の開設時における削りカスや騒音等をほとんど発生することなく施工できる利点がある。
【特許文献１】特開２００２−１５５６００号公報
【発明の開示】
【発明が解決しようとする課題】
【０００６】
ところが特許文献１の２重葺き構造では、サドル１９は波形スレート１８と下端縁１６ａのみで接触しているので、新たな金属屋根材２２を配設した際に生ずる荷重は、波形スレート１８の局部個所に集中することになる。このため、経年的な劣化により老朽化した波形スレート１８は前記荷重に耐えきれず、その接触部分が破損してしまうことがあった。また、特許文献１の２重葺き構造は、複合ボルト２０やパッキン２４等、複数の部材を使用するので、組付け工程数が多くなって施工コストが嵩んでしまう原因となっていた。更に、既設のフックボルト１０の配設態様に合わせて該ボルト１０が挿通する通孔２２ａを金属屋根材２２に開設しなければならず、施工時間が掛かる原因ともなっていた。また、前記フックボルト１０の配設ピッチや波形スレート１８の形状によっては、金属屋根材２２の設計変更を余儀なくされたり、改修工事そのものが実施できなくなる場合があり、更なる改善が望まれていた。
【０００７】
この発明は、前述した従来技術に内在している前記課題に鑑み、これを好適に解決するべく提案されたものであって、既設のフックボルトの配設状況や波形スレートの形状に拘わらず、新たな外装材を波形スレートに簡単且つ確実に敷設し得る方法を提供することを目的とする。
【課題を解決するための手段】
【０００８】
前記課題を克服し、所期の目的を達成するため、本発明に係る波形スレート改修工法は、
フックボルトのフック部を建物の構造材に係止させると共に、該フックボルトの雄ネジ部を前記構造材に敷設した波形スレートの山形部に貫挿させ、外方へ延出した前記雄ネジ部にナットを螺挿することで、前記波形スレートを構造材に固定した建物に関して、前記波形スレートの外側に所要の外装材を新たに設けるための改修工法であって、
略中央の部位に通孔を設けた平坦面と、この平坦面を挟む両側から斜め下方へ離間的に延在する一対のスカート部とからなるサドルを前記波形スレートの上に位置させ、該通孔に前記フックボルトの雄ネジ部を挿通させることで、前記一対のスカート部を該波形スレートの山形部に跨らせた状態で着座させ、
前記雄ネジ部にタッピングナットを螺挿しつつ該雄ネジ部への再ネジ切りを補助的に施すことで、前記タッピングナットによりサドルを山形部に固定し、
所要長のチャンネル材を波形スレートの波打方向と交差する方向へ延在するよう前記サドル上に位置させ、タッピングネジを前記チャンネル材を介してサドルにねじ込むことで、これらチャンネル材とサドルとを固定し、
更に所要の外装材を前記チャンネル材に位置させ、タッピングネジを前記外装材を介してチャンネル材にねじ込むことで、これら外装材とチャンネル材とを固定するようにしたことを特徴とする。
【発明の効果】
【０００９】
発明に係る波形スレート改修工法では、波形スレートに加わる外装材の荷重を分散し得るよう構成したので、経年的に老朽化した波形スレートがその荷重によって破損することがなく、新たな外装材を安定的に敷設し得る。また、新たな外装材はタッピングネジによってチャンネル材に直接固定されるので、従来の如く、既設のフックボルトの配設状況や波形スレートの形状に合わせて外装材の設計変更をする必要がない。また、チャンネル材や外装材の組付けは、タッピングネジによって容易に行われるので、改修作業が効率的となって、そのコストも抑制し得る。
【００１０】
本発明の改修工法によれば、屋根材・外壁材の何れの波形スレートであっても、全く同様にして改修することができる。また、外装材とチャンネル材との間に断熱材を介在させれば、改修後の建物の断熱効果を向上させることが可能になる。
【発明を実施するための最良の形態】
【００１１】
次に、本発明に係る波形スレート改修工法につき、好適な実施例を挙げて、添付図面を参照しながら以下説明する。なお実施例では、倉庫や工場等の屋根に設置された波形スレートを改修する場合を示すが、倉庫等の外壁を形成する外壁材として波形スレートが設置されている場合にも、本発明の改修工法を適用し得る。また、以下の説明において、従来技術で説明した同一の部材については同じ符号を付すものとする。
【００１２】
実施例に係る改修工法は、図１に示すように、波形スレート１８を使用した既設の屋根４６の上部に、これとは別体の金属屋根材(外装材)３０を新たに設置して２重構造とするものである。この既設屋根の波形スレート１８には、その山形部１８ａにおける頂部に穿設された通孔を介してフックボルト１０が貫挿されている。フックボルト１０は、図２に示すように、その下端部に鋭角に折曲形成されたフック部１０ｂが、建物の敷設部材６０の下方に配設された母屋桁３２(構造材)の下端部に係止されると共に、雄ネジ部１０ａを設けた上部が波形スレート１８の上方に延在するよう配置されており、この雄ネジ部１０ａにナット３４を螺挿することで、該波形スレート１８が母屋桁３２に支持固定されている。
【００１３】
前記波形スレート１８を支持固定しているフックボルト１０の雄ネジ部１０ａには、図１に示す如く、平坦面３６を有する断面山型に折曲成形されたサドル３８が配設される。この平坦面３６は、図２に示すように、山形部１８ａの頂部近傍を略覆い得る横幅寸法に設定されており、その略中央部位に、該フックボルト１０の挿通を許容する通孔３６ａが設けられている。また平坦面３６の長手方向の両側には、斜め下方へ互いに離間するよう延在する一対のスカート部４０,４０が設けられている。各スカート部４０は、図２に示すように、前記平坦面３６を挟む両側から斜め下方へ延在する第１傾斜面４１と、この第１傾斜面４１から更に屈曲して斜め下方へ延在する第２傾斜面４３とから構成され、両傾斜面４１,４３は線状屈曲部４０ａによって境界付けられている。
【００１４】
そして、サドル３８を波形スレート１８に位置させ、通孔３６ａに前記雄ネジ部１０ａを挿通させて着座させた際に、両スカート部４０,４０が山形部１８ａの略全体を覆うようにして跨ぐようになっている。この時、図２に示すように、前記線状屈曲部４０ａが山形部１８ａの中腹辺りに当接すると共に、前記第２傾斜面４３の下端縁４０ｂが山形部１８ａの裾部辺りに当接するよう構成される。すなわちサドル３８は、山形部１８ａの表面に左右２個所ずつで線接触して、波形スレート１８に加わる荷重を分散し得るようになっている。このような荷重の分散がなされずに、該荷重が波形スレート１８に局所的に加わってしまうと、経年的な劣化により脆くなった波形スレート１８は、その部分で破損が生じたり、クラックが生じたりする可能性が非常に高くなる。しかるに、上記の如く荷重を分散させることで、このような破損等の問題を有効に回避して、金属屋根材３０を既設の屋根４６に安定的に設置することができる。なお、サドル３８の両スカート部４０,４０は、各種形状の波形スレート１８にも対応し得るよう、若干の弾性変形が許容されている。
【００１５】
前記サドル３８の平坦面３６から上方突出している各フックボルト１０の雄ネジ部１０ａには、所要長さのタッピングナット４２が螺挿され、これによりサドル３８を山形部１８ａに固定するよう構成される。前記タッピングナット４２は、図２に示すように、後述のチャンネル材４４の内側高さよりも僅かに小さい長さ寸法を有している。そして、タッピングナット４２を雄ネジ部１０ａへ螺挿した際に、該雄ネジ部１０ａに対して補助的な再ネジ切りを施すようになっている。すなわち、経年的に老朽化したフックボルト１０の雄ネジ部１０ａは、その螺条が錆びてへたっている場合が多いが、タッピングナット４２によって雄ネジ部１０ａに新たなネジ切りが行なわれるので、サドル３８の固定は確実なものとなる。但し、場合によってはフックボルト１０が余り劣化していないこともあるので、タッピングナット４２による再ネジ切りはあくまでも補助的なものである。
【００１６】
なおタッピングナット４２は、その高さ寸法が大きいほど内部の雌ネジが長くなってねじ切り量が増大し、前記サドル３８の固定はより確実なものとなる。従って、タッピングナット４２の高さ寸法は、チャンネル材４４の内側高さが許す範囲でなるべく大きく設定することが望まれる。また、このタッピングナット４２の代わりに、雄ネジ部１０ａとねじピッチが合致した平ナットを使用することも考えられるが、平ナットの螺旋長は短かく、雄ネジ部１０ａへの螺挿不全となる場合が多いので本発明には適さない。
【００１７】
ところで、タッピングナット４２を雄ネジ部１０ａに螺挿する際に使用するねじ込み工具としては、例えば、図示しない電動ナットランナー(電動ドライバー)が好適である。この電動ナットランナーは、通常、トルク設定を変更することができるので、フックボルト１０の老朽度合いに合わせてトルク調節を行なえば、タッピング中にフックボルト１０が折損するのを防止できる。
【００１８】
断面コ字型をなす所要長のチャンネル材４４は、前述の如く、その内側高さがタッピングナット４２の高さ寸法よりも僅かに大きく設定されており、図３に示すように、波形スレート１８の波打方向と交差する方向へ延在するようサドル３８上に配置させる。この状態で、タッピングネジ５０をチャンネル材４４を介してサドル３８にねじ込むことで、これらチャンネル材４４とサドル３８とが固定されるようになっている。この時、図２に示すように、前記タッピングナット４２はチャンネル材４４に干渉することなく、該チャンネル材４４の内部に内包される。
【００１９】
新たに敷設される金属屋根材３０は、図２に示す如く、台形状の山部５２,５２を複数成形した折板であって、各山部５２の間には、前記チャンネル材４４と当接する谷部５４,５４が形成されている。そして、サドル３８に固定されたチャンネル材４４上に金属屋根材３０を配置し、タッピングネジ５６を金属屋根材３０の谷部５４を介してチャンネル材４４にねじ込むことで、これら金属屋根材３０とチャンネル材４４とが固定される。なお、金属屋根材３０の断面形状については実施例に限定される訳ではなく、例えば断面波形状のものや、矩形状等、従来公知の屋根材が使用される。また図１に示すように、前記金属屋根材３０とチャンネル材４４との間に断熱材５８を介在させることで、改修後の建物内の断熱効果を向上させるようにしてもよい。すなわち、前記チャンネル材４４上に断熱材５８を配置し、更にその上から金属屋根材３０を設置して、前記タッピングネジ５６によってこれらを固定すればよい。
【００２０】
なお、本発明の改修工法を、外壁材としての波形スレート１８に適用する場合には、外装材として前記金属屋根材３０と同様な金属外壁材を使用して、これを既設の波形スレート１８の外側に敷設すればよく、改修手順も基本的に実施例と同じである。
【００２１】
(実施例の改修手順)
次に、実施例に係る波形スレート改修工法の改修手順について以下説明する。先ず始めに、サドル３８の通孔３６ａにフックボルト１０を挿通させて、両スカート部４０,４０を山形部１８ａに跨らせる。そして、この通孔３６ａから突出する雄ネジ部１０ａに、電動ナットランナーを用いてタッピングナット４２をねじ込ませ、サドル３８を山形部１８ａに固定する。この時、タッピングナット４２は雄ネジ部１０ａに再ネジ切りを補助的に行なうので、該雄ネジ部１０ａの螺条がへたっている場合でも、サドル３８をしっかりと山形部１８ａに固定することができる。また、前記電動ナットランナーはトルク調節可能であるので、フックボルト１０の老朽度合に合わせてトルク調節を行なえば、タッピング中にフックボルト１０が折損することはない。更に、山形部１８ａ上に固定されたサドル３８は、そのスカート部４０の線状屈曲部４０ａが山形部１８ａの中腹に当接すると共に、下端縁４０ｂが山形部１８ａの裾部に当接するので、波形スレート１８への荷重が分散されて、改修後の金属屋根材３０を安定的に屋根４６に敷設することができる。
【００２２】
次に、図３に示すように、前記チャンネル材４４を波形スレート１８の波打方向と交差する方向へ延在するようサドル３８上に位置させる。この状態で、タッピングネジ５０をチャンネル材４４を介してサドル３８にねじ込み、チャンネル材４４をサドル３８上に固定する。このとき、図２に示すように、各チャンネル材４４の内側高さは、タッピングナット４２の高さ寸法よりも僅かに大きいので、該ナット４２は干渉することなくチャンネル材４４内部に内包される。
【００２３】
更に、サドル３８に固定されたチャンネル材４４上に、金属屋根材３０を載置し、該金属屋根材３０の谷部５４をチャンネル材４４に当接させる。この状態で、タッピングネジ５６を谷部５４を介してチャンネル材４４にねじ込むことで、前記金属屋根材３０をチャンネル材４４上に固定させる。また、金属屋根材３０とチャンネル材４４との間に断熱材５８を敷設する場合には、前記金属屋根材３０を固定する前に、チャンネル材４４上に断熱材５８を配置し、その上から金属屋根材３０を配置して、これらをタッピングネジ５６により固定する。これにより、改修後の建物内の断熱効果を向上させることが可能となる。
【００２４】
すなわち、実施例に係る改修工法によれば、金属屋根材３０をチャンネル材４４上にネジ止めするだけで固定し得るよう構成したので、既設のフックボルト１０の配設状況や波形スレート１８の形状に合わせて金属屋根材３０を加工する必要がなく、如何なる場合の屋根４６においても改修可能である。また、金属屋根材３０やチャンネル材４４は、タッピングネジを螺挿するだけで簡単に固定することができる。従って、改修に要する施行時間が短縮されて、改修コストも低廉となるという効果を奏する。
【図面の簡単な説明】
【００２５】
【図１】実施例に係る改修工法により改修された屋根を示す分解斜視図である。
【図２】実施例に係る改修工法により改修された屋根を示す断面図である。
【図３】実施例に係る改修工法により改修された屋根を一部破断した状態で示す平面図である。
【図４】従来の波形スレート屋根の２重葺き構造を示す断面図である。
【符号の説明】
【００２６】
１０ フックボルト
１０ａ 雄ネジ部
１０ｂ フック部
１８ 波形スレート
１８ａ 山形部
３０ 金属屋根材(外装材)
３２ 母屋桁(構造材)
３４ ナット
３６ 平坦面
３６ａ 通孔
３８ サドル
４０ スカート部
４０ａ 線状屈曲部
４０ｂ 下端縁
４１ 第１傾斜面
４３ 第２傾斜面
４２ タッピングナット
４４ チャンネル材
５０,５６ タッピングネジ
５８ 断熱材
【図１】
2006194050.tif 000003
【図２】
2006194050.tif 000004
【図３】
2006194050.tif 000005
【図４】
2006194050.tif 000006